(57)【要約】【課題】  コストが低く、密閉性の高い筐体を提供する．【解決手段】  本発明の筐体の防塵構造は、開口部を有するケース２と、ケース２の開口部の一端に蝶番６により開閉自在に設けた開閉蓋４と、開放部は周縁に突起３が設けられ、開閉蓋４はケース２の突起３に対向する位置にパッキン５を取り付け、突起３とパッキン５とにより開閉蓋４を密閉するもので、ケース２の突起３がパッキ５ンに対して傾斜角度を持たせ突起３の角で接触する構成にしたものである。【選択図】    図１
2009026978.tif 000002
【特許請求の範囲】
【請求項１】
開口部を有するケースと、前記ケースの開口部の一端に蝶番により開閉自在に設けた蓋と、前記蓋に設けたパッキンとからなり、前記開放部は周縁に突起が設けられ前記突起と前記パッキンとにより蓋を密閉する防塵型の筐体において、
前記ケースの突起を前記パッキンに対して傾斜角度を持たせ前記突起の角で接触するように構成したことを特徴とする筐体の防塵構造。
【請求項２】
開口部を有するケースと、前記ケースの開口部の一端に蝶番により開閉自在に設けた蓋と、前記蓋に設けたパッキンとからなり、前記開放部は周縁に突起が設けられ前記突起と前記パッキンとにより蓋を密閉する防塵型の筐体において、
前記ケースの突起の接触部が鋭角を有する構成にしたことを特徴とする筐体の防塵構造。
【請求項３】
開口部を有するケースと、前記ケースの開口部の一端に蝶番により開閉自在に設けた蓋と、前記蓋に設けたパッキンとからなり、前記開放部は周縁に突起が設けられ前記突起と前記パッキンとにより蓋を密閉する防塵型の筐体において、
前記パッキンは、前記ケースの突起の角で接触するよう前記蓋の面に対して傾斜角度を有する構成にしたことを特徴とする筐体の防塵構造。
【発明の詳細な説明】
【技術分野】
【０００１】
本発明は筐体の防塵性に関し、パッキンとの密着性が高い筐体の防塵性に関する。
【背景技術】
【０００２】
従来、筐体の防塵構造としては、図４のような構造をとっているものがある。図４（ａ）は筐体の断面図であり、（ｂ）はパッキン取り付け部の詳細を示す部分拡大断面図である。図において、１は筐体、２はケース、３は突起、４は開閉蓋、５はパッキン、６は蝶番である。板金加工で作製された筐体１は図４（ａ）に示すようにケース２の開口部を、蝶番６により開閉自在な開閉蓋４で覆い、蝶番６と対向する側に開閉蓋４を固定するための蓋止め金具により固着する。ケース２の開口部周縁には突起３を設けており、その突起の対向する開閉蓋の位置に貼り付けられたパッキン５をケース開口部周縁の突起３で押圧することにより、筐体１を密閉するものである。また、筐体の端面に鋭い突起を設けて防水性を保持する構造のものもある（例えば、特許文献１参照）。
【特許文献１】特開平１０−３２４３６０号公報
【発明の開示】
【発明が解決しようとする課題】
【０００３】
従来の筐体では、パッキンとケース開口部周縁の突起が当たる部分の面積が大きく、これによりパッキンからの反力が大きくなっており、ケース２および蓋４が歪んで変形して隙間が生じ、必要とされる密閉性を確保することができないという問題があった。
本発明はこのような問題点に鑑みてなされたものであり、密閉性が高くコストの低い筐体を提供することを目的とする。
【課題を解決するための手段】
【０００４】
上記課題を解決するため、本発明はつぎのように構成したものである。
請求項１に記載の発明は、  開口部を有するケースと、前記ケースの開口部の一端に蝶番により開閉自在に設けた蓋と、前記蓋に設けたパッキンとからなり、前記開放部は周縁に突起が設けられ前記突起と前記パッキンとにより蓋を密閉する防塵型の筐体において、  前記ケースの突起を前記パッキンに対して傾斜角度を持たせ前記突起の角で接触するように構成したものである。
請求項２に記載の発明は、開口部を有するケースと、前記ケースの開口部の一端に蝶番により開閉自在に設けた蓋と、前記蓋に設けたパッキンとからなり、前記開放部は周縁に突起が設けられ前記突起と前記パッキンとにより蓋を密閉する防塵型の筐体において、前記ケースの突起の接触部が鋭角を有する構成にしたものである。
請求項３に記載の発明は、開口部を有するケースと、前記ケースの開口部の一端に蝶番により開閉自在に設けた蓋と、前記開放部は周縁に突起が設けられ、前記蓋は前記ケースの突起に対向する位置にパッキンを取り付け、前記突起と前記パッキンとにより蓋を密閉する防塵型の筐体において、前記パッキンは、前記ケースの突起の角で接触するよう前記蓋の面に対して傾斜角度を有する構成にしたものである。
【発明の効果】
【０００５】
本発明によると、大型の筐体においてもパッキンとケースの突起がケースや蓋を変形することなく小さな力で密着させることができ筐体の密閉性を向上することができる。
【発明を実施するための最良の形態】
【０００６】
以下、本発明の実施の形態について図を参照して説明する。
【実施例１】
【０００７】
図１は、本発明の実施例１を示す筐体の構成図で、（ａ）は筐体の断面図、（ｂ）はパッキン勘合部の部分拡大断面図である。符合は従来と同じであるため、説明を省略する。筐体１は、従来と同様に、一面に開放部を有する箱状のケース２の底面と対向する面が開放され、開放部周縁の突起３を有するケース２と、ケース２の突起５に対向する位置にパッキン５を貼り付け、蝶番６により開閉自由な開閉蓋４とから構成される。
本実施例の筐体の勘合部は、突起３が周縁部外側に曲げ加工して成形されている。したがって、開閉蓋４を閉じると突起３の角がパッキン５に押圧されて接触するため、パッキンからの反力が小さく、ケース２および蓋４が変形しないので、隙間ができず、必要とされる密閉性を確保することができる。なお、周縁部の４隅に生じる隙間は溶接により埋められている。
本発明が従来技術と異なる部分は、ケース開放部周縁の斜め突起を備えた部分である。
【実施例２】
【０００８】
図２は、本発明の実施例２を示すパッキン部の部分拡大断面図である。
全体の構成は、実施例１と同じであるため説明を省略する。本実施例は突起３の端面を鋭角に加工したものである。したがって、実施例１と同じように、開閉蓋４を閉じると突起３の鋭角になった端面がパッキン５と接触するため、パッキンからの反力が小さくなり、ケース２および蓋４が変形しないので、隙間ができず、必要とされる密閉性を確保することができる。
【実施例３】
【０００９】
図３は、本発明の実施例３を示すパッキン部の部分拡大断面図である。
全体の構成は、実施例１と同じであるため説明を省略する。本実施例は突起３従来と同じく何の加工も施してはないが、パッキン５を開閉蓋４に対して傾斜させた形状にしたものである。このため、開閉蓋４を閉じると実施例１と同じように、突起３の角がパッキン５と接触するため、パッキンからの反力が小さくなり、ケース２および蓋４が変形しないので、隙間ができず、必要とされる密閉性を確保することができる。
【図面の簡単な説明】
【００１０】
【図１】本発明の実施例１を示す筐体の構成図であり、（ａ）は筐体の上方からの断面図、（ｂ）はパッキン勘合部を示す部分拡大断面図である。
【図２】本発明の実施例２を示すパッキン勘合部の部分拡大断面図である。
【図３】本発明の実施例３を示すパッキン勘合部の部分拡大断面図である。
【図４】従来の筐体の防塵構造を示す図であり、（ａ）は筐体の上方からの断面図、（ｂ）はパッキン勘合部を示す部分拡大断面図である。
【符号の説明】
【００１１】
１  筐体
２  ケース
３  突起
４  開閉蓋
５  パッキン
６  蝶番
【図１】
2009026978.tif 000003
【図２】
2009026978.tif 000004
【図３】
2009026978.tif 000005
【図４】
2009026978.tif 000006